(57)【要約】      （修正有）【課題】食品業界では、賞味期限の表示を含めた食品の品質管理体制と標準化の必要性を認め、食の安全追及する取り組まれているが、製造から販売までの過程で自動賞味期限識別および販売制御がアップロードされていない。【解決手段】食品業界がＥＡＮ１２８バーコードを導入し、製造から販売までの過程で自動賞味期限識別および販売制御がアップロードできる体制を、食品メーカー、流通業者、ハンディターミナル、自動販売機等の機器メーカが協力して取り組む。【選択図】図２
2009043219.tif 000002
【特許請求の範囲】
【請求項１】
自動販売機で販売する商品にＥＡＮ１２８バーコードを導入し、新たに開発した賞味期限分類コードと組み合わせ、製造から販売までのトータルの過程で賞味期限を厳守するビジネスモデルの構築に関する。
【請求項２】
自動販売機のコントロールＢＯＸのアラーム情報ＡＰをソフト開発、コラム・フレーバーに投入された個々の販売商品に賞味期限切れが発生した場合、アラーム情報によりコラム・フレーバーのマイクロスイッチを動作させ、販売しない、できない自販機販売に関する。
【請求項２】
自動販売機の賞味期限分類を長期（年単位）、中期（月単位）、短期（週単位）、超短期（日単位）に分類する。
ＥＡＮ１２８バーコードのアプリケーション識別子を１５長期、１６中期、１７短期、１８超短期とし、商品の種類に合わせた賞味期限の分類とする。
販売システムの商品マスターにもこの賞味期限の分類を導入する。
この賞味期限の分類を活用した、倉庫、車両、自販機の在庫商品の賞味期限の管理に関連した開発に関する。
【請求項３】
新たに開発したＥＡＮ１２８バーコードをハンディターミナル（ＨＴ）でスキャンし、販売システムおよび自動販売機のコントロールＢＯＸに設定するハンディターミナルＡＰソフトの開発に関する。
【請求項４】
販売商品の入荷時、商品に貼り付けられたＥＡＮ１２８のバーコードをハンディターミナルによりスキャンし、本部の販売システムのサーバーにロードし、倉庫、車両、自動販売機の商品の賞味期限を含めた在庫登録と移動をコンピューターで管理する開発に関する。
自動販売機のコラム、フレーバーに投入した商品の賞味期限を含めた在庫管理については、コラムＮＯにケースＮＯを情報フィールド項目に追加し、販売の都度、コラムのケースで移動する商品の賞味期限を把握するため、投入月日、カウンターの販売計数を組み合わせ、自動識別するＡＰソフトを開発又自動販売機全体のコラムＮＯケースＮＯにある在庫商品の賞味期限残数の管理についても可能にした。
この賞味期限を自動的に把握することを可能したハンディターミナル、本部販売システム、自動販売機の開発に関する。
【請求項５】
自動販売機のコラム、フレーバーに投入した商品の加温後の品質保持期限の変動に対する各種商品の変動幅のデーターの作成・設定をハンディターミナルＡＰソフトで登録する開発に関する。
【請求項６】
自動販売機のコラム、フレーバーに投入した商品の賞味期限切れ商品が発生した場合アラーム情報を発出し、マイクロスイッチを作動して、該当のコラム、フレーバーの販売中止を可能にした開発に関する。
【請求項７】
自動販売機のコラム、フレーバーの在庫販売商品に賞味期限切れの商品が発生した場合、該当のコラム、フレーバーのケースＮＯを発光ダイオード（ＬＥＤ）で表示する開発に関する。
【請求項８】
自動販売機のコラムのケースにバーコードをスキャンするセンサーを設置し、バーコードの賞味期限を読取とる開発に関する。
【請求項９】
自動販売機の上部前面に発光ダイオードで文字情報として消費者に、この自動販売機は、コンピューターによる賞味期限切れ商品を販売しない品質を守った日本初の自販機と告知するメッセージをＬＥＤで表示、広告塔の役割を果たす開発に関する。
【発明の詳細な説明】
【技術分野】
【０００１】本発明は、自動販売機で販売する商品の賞味期限を管理するため、製造工程１００で商品２００にＥＡＮ１２８のバーコード２００を貼り付ける。
ＥＡＮ１２８バーコード２００の開発では、アプリケーション識別子ＡＩ（０１）で商品アイテムコードを設定、識別子ＡＩ（１５）２０１から識別子（１８）２０４で賞味期限を分類した設定を行う。
賞味期限の分類は、アプリケーション識別子（１５）長期：年単位、（１６）中期：月単位、ＡＩ（１７）短期：週単位、ＡＩ（１８）超短期：日単位と商品の賞味期限の長短で管理がセグメント分けされる。
製造部門では、ＥＡＮ１２８バーコード２００を貼り付けた商品を箱詰めたにし、物流ＩＴＦコードの１６桁又は１４桁を梱包したケースに貼り付ける。
ＥＡＮ１２８バーコード２００もその下段に貼り付け、物流過程で併用し、ピッキングを含めたそれぞれの用途により、機能を活用し、商品の品質管理を容易にする。
販売部門の配送センターでは、入荷時にハンディターミナル（ＨＴ）３００で、梱包されたケースに貼り付けられた、物流ＩＴＦコードとＥＡＮ１２８バーコード２００をスキャンし、ＨＴから販売システム４００のサーバー４０１の在庫ファイルに登録する。
自動販売機へのルートセールスで行う、車両への商品の積み込みは、ハンディターミナルを介し、販売システムのサーバーで在庫移動を行う。
自動販売機５００の賞味期限を含めた在庫管理は、コントロールＢＯＸ５０１の在庫ファイルにコラムＮＯ５０２にケースＮＯ５０３、フレーバーＮＯ５０４、ケースＮＯ５０５を付与し、個々の投入された商品の賞味期限が判別できるようにした。
自動販売機への商品の投入は、ＨＴ３００でＥＡＮ１２８のバーコードをスキャンし、コントロールＢＯＸにコラムＮＯ、ケースＮＯ、フレーバーＮＯ、ケースＮＯに投入月日を入力し、赤外線でデーターを在庫登録する。
販売時、販売ＢＯＸに投下される直前のコラムケースＮＯの商品は、投入した月日と販売カウンター計数により、投入された該当商品を割り出し、その商品のＥＡＮ１２８バーコードの賞味期限のデーターとカレンダとを照合し、賞味期限を識別する。
賞味期限切れの商品と識別した場合は、コントロールＢＯＸ５０１からアラーム情報５０６を発出し、マイクロスイッチ５０７を動作させ、コラムを起動回路５０８ロックにより、販売を中止する。
【背景技術】
【０００２】ＥＡＮ１２８バーコードによる賞味期限を識別する方法があるが賞味期限が切れた商品を消費者に販売しない、できない体制・方法が確立されていない。
この開発は、ＥＡＮ１２８バーコードを導入し、自動販売機の商品の賞味期限をＩＴ技術を駆使して識別し、商品の販売を自動制御する方法である。
【発明の開示】
【発明が解決しようとする課題】
【００３】ＥＡＮ１２８バーコードを利用し、食品業界の標準化を行い、食品販売現場のＰＯＳ、自動販売機で販売商品の賞味期限を自動識別し、ＰＯＳにおいては、レシートに販売商品の賞味期限内であるかを文字で表示するなど、販売する商品の賞味期限を守り、消費者が安心して食品を買える体制を確立し、信頼を勝ち取る。
【課題を解決するための手段】自動販売機の販売商品に貼り付けるＥＡＮ１２８バーコードのコード表示・利用形態を標準化し、自動販売機・ＰＯＳ・ハンディターミナルメーカーのどの機種にも適合するコントロールＢＯＸとハンディターミナルＡＰソフトを開発し、現在のコントロールＢＯＸとハンディターミナルにアップロードできるようにする。
【発明の効果】飲料水・インスタント食品の自動販売機は、病院・企業・学校・店舗などいろんな場所に設置され、多種多様な商品を提供し、一般消費者に利用されているが、取扱商品の品質保持について、業界全体の賞味期限に対する標準化などが確立されてなく、消費者に対する取り組みが不十分である。
一度、自動販売機で販売した商品が原因で食中毒などが発生した場合、自販機食品業界全体に大きな打撃を与える危険な要素を抱えており、それを緊急に解決する必要がある。
この発明は、食の安全が叫ばれている現状を踏まえ、消費者の信頼を勝ち取り、自販機業界の発展とこれを契機に食品業界全体にその取り組みが波及することで、消費者の安心が購買意欲を喚起し、経済成長に大きく貢献できる。
【発明を実施するための最良の形態】食品メーカーのＥＡＮ１２８バーコード導入による食品の賞味期限表示の標準化を行ない、ハンディターミナルによる、ＥＡＮ１２８バーコードをスキャンし、データーの読み取り・登録ＡＰソフトを開示し、特定の機種に限定しない開発を行う。
メーカーと協業を組み、各種販売端末機であるＰＯＳ，自動販売機に賞味期限を識別し、販売を制御する機能を開発し、標準装備とする。
【実施例】自動販売機の前面にランプ（ＬＡＤ）表示により、この自動販売機はコンピューターで賞味期限を管理して安全な商品を提供していますと一般消費者に告知し、アピールして選択できるようにする。
【産業上の利用可能性】食品業界全体にＥＡＮ１２８バーコード技術を導入したホストサーバーと端末機ＰＯＳ・自動販売機に対し、ＩＴ技術を駆使した賞味期限のコンピューターによる自動識別と制御を確立させたサービスの提供を拡大し、国民の健康に寄与する食の安全を追求した社会を実現することができる。
【図面の簡単な説明】自動販売機のコラム、フレーバーＮＯ、ケースＮＯに投入する商品のＥＡＮ１２８バーコードをハンディターミナルでスキャンし、自動販売機のコントロールＢＯＸに登録し、賞味期限を自動識別して、販売を制御する方法を示す。
【図１】自動販売機で販売する食品の賞味期限を自動識別し、賞味期限切れ商品は販売しない、安全な商品を消費者に提供するプロセスを示すビジネスモデルである。
【図２】自動販売機の商品投入時でのハンディターミナルでのデーター登録とコラム商品が販売された都度のデーターの遷移と自販機の賞味期限の自動識別と販売制御方法を示す。コラムの販売商品に賞味期限切れが発生した場合のアラーム情報の発出による販売中止を行う制御について示す  ＬＥＤ（発光ダイオード）ランプ機能について示す。
【符号の説明】
１００；製造工程
２００；ＥＡＮ１２８バーコード
２０１；アプリケーション識別子（１５）長期：年単位
２０２；アプリケーション識別子（１６）中期：月単位
２０３；アプリケーション識別子（１７）短期：週単位
２０４；アプリケーション識別子（１８）超短期：日単位
３００；ハンディターミナル（ＨＴ）
４００；販売システム
４０１；サーバー
５００；自動販売機
５０１；自動販売機のコントロールＢＯＸ
５０２；コラムＮＯ
５０３：コラムケースＮＯ
５０４：フレーバーＮＯ
５０５：フレーバーケースＮＯ
５０６：賞味期限切れアラーム情報
５０７：マイクロスイッチ
５０８：コラム起動回路
５０９：ＡＣＳ
６００：ＬＥＤ（コラムのケースＮＯの商品の賞味期限切れ）を発光ダイオードで表示
【図１】
2009043219.tif 000003
【図２】
2009043219.tif 000004
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
自動販売機で販売する商品の賞味期限を、ＥＡＮ１２８バーコードと賞味期限分類コードを組み合わせ、多品種の食品の管理を容易にする。
次にハンディターミナル、自動販売機にフラッシュメモリーを導入したＡＰソフト開発を行い、賞味期限管理システムを構築し、製造から販売までのトータルの過程で賞味期限を厳守するビジネスモデルに関する。
【請求項２】
自動販売機の賞味期限分類を長期（年単位）、中期（月単位）、短期（週単位）、超短期（日単位）に分類する。
ＥＡＮ１２８バーコードのアプリケーション識別子を１５長期、１６中期、１７短期、１８超短期とし、商品の種類に合わせた賞味期限の分類とする。
販売システムの商品マスターにもこの賞味期限の分類を導入する。
この賞味期限の分類を活用した、倉庫、車両、自販機の在庫商品の賞味期限の管理に関連した開発に関する。
【請求項３】
商品に貼付けたＥＡＮ１２８バーコードをハンディターミナル（ＨＴ）でスキャンし、ＨＴのフラッシュメモリーのデーター部１，２に賞味期限データーを読込・書込するＡＰソフト開発および自動販売機のフラッシュメモリー・データー部に賞味期限データーを設定するハンディターミナルのデーター仕様とＡＰソフトの開発に関する。
【請求項４】
販売商品の入荷時、商品に貼り付けられたＥＡＮ１２８のバーコードをハンディターミナルによりスキャンし、本部の販売システムのサーバーにロードし、倉庫、車両、自動販売機の商品の賞味期限を含めた在庫登録と移動をコンピューターで管理する開発に関する。
自動販売機のコラム、フレーバーに投入した商品の賞味期限を含めた在庫管理については、コラムＮＯにケースＮＯを情報フィールド項目に追加し、販売の都度、コラムのケースで移動する商品の賞味期限を検証・判別するＡＰソフトを開発および自動販売機全体のコラムＮＯケースＮＯにある在庫商品の賞味期限残数の管理についても可能にした。
この賞味期限を自動的に把握することを可能したハンディターミナル、本部販売シム、自動販売機の開発に関する。
【請求項５】
自動販売機のコラム、フレーバーに投入した商品の加温後の品質保持期限の変動に対する各種商品の変動幅のデーターの作成をおこない、ハンディターミナルＡＰソフトで設定する開発に関する。
【請求項６】
自動販売機のコラム、フレーバーに投入した商品の賞味期限切れをコントロールＢＯＸの検証部で検証・判別し、賞味期限きれの判定結果が出た場合、アラーム検出部からアラーム情報を発出し、マイクロスイッチを作動して、該当のコラム、フレーバーの自動で販売中止を可能にした開発に関する。
【請求項７】
自動販売機のコラム、フレーバーの在庫販売商品に賞味期限切れの商品が発生した場合、該当のコラム、フレーバーのケースＮＯを発光ダイオード（ＬＥＤ）で表示する開発に関する。
【請求項８】
自動販売機の上部前面に発光ダイオードで文字情報として消費者に、この自動販売機はコンピューターによる賞味期限切れ商品を販売しない品質を守った日本初の自販機と告知するメッセージをＬＥＤで表示、広告塔の役割を果たす開発に関する。
【請求項９】
ハンディターミナルおよび自動販売機の賞味期限データーのメモリーとして、フラッシュメモリーを採用し、新設・商品の入れ替え時の設定・変更をフラッシュメモリーの差替で容易にできるコスト削減に関する。
【手続補正２】
【補正対象書類名】明細書
【補正対象項目名】全文
【補正方法】変更
【補正の内容】
【発明の詳細な説明】
【技術分野】
【０００１】本発明は、自動販売機で販売する商品の賞味期限を管理するため、製造工程１００で商品２００にＥＡＮ１２８のバーコード２００を貼り付ける。
ＥＡＮ１２８バーコード２００の開発では、アプリケーション識別子ＡＩ（０１）で商品アイテムコードを設定、識別子ＡＩ（１５）２０１から識別子（１８）２０４で賞味期限を分類した設定を行う。
賞味期限の分類は、アプリケーション識別子（１５）長期：年単位、（１６）中期：月単位、ＡＩ（１７）短期：週単位、ＡＩ（１８）超短期：日単位と商品の賞味期限の長短で管理がセグメント分けされる。
製造部門では、ＥＡＮ１２８バーコード２００を貼り付けた商品を箱詰めたにし、物流ＩＴＦコードの１６桁又は１４桁を梱包したケースに貼り付ける。
ＥＡＮ１２８バーコード２００もその下段に貼り付け、物流過程で併用し、ピッキングを含めたそれぞれの用途により、機能を活用し、商品の品質管理を容易にする。
販売部門の配送センターでは、入荷時にハンディターミナル（ＨＴ）３００で、梱包されたケースに貼り付けられた、物流ＩＴＦコードとＥＡＮ１２８バーコード２００をスキャンし、ＨＴから販売システム４００のサーバー４０１の在庫ファイルに登録する。自動販売機へのルートセールスで行う、車両への商品の積み込みは、ハンディターミナルを介し、販売システムのサーバーで車両への在庫移動を行う。
自動販売機５００の賞味期限を含めた在庫管理は、フラッシュメモリーのデーター設定部５０１，の在庫ファイルにコラムＮＯにケースＮＯ、フレーバーＮＯ、ケースＮＯを付与し、個々の投入された商品の賞味期限が判別できるようにした。
自動販売機への商品の投入は、ＨＴ３００でＥＡＮ１２８のバーコードをスキャンし、ＨＴのフラッシュメモリー３０１のデーター部１，２に読込む、読込んだデーターを自販機のフラッシュメモリー５０１のデーター設定部１，２のデーターベース仕様の通りＡＣＳ５０７を経由し、赤外線でデーターを書込む。
販売時、販売ＢＯＸに投下される直前のコラムケースＮＯの商品は、販売カウンター計数により、該当商品を特定、賞味期限検証部で商品のＥＡＮ１２８バーコードの賞味期限のデーターとカレンダとを照合し、賞味期限を判別する。
賞味期限切れの商品と判別した場合は、コントロールＢＯＸ５０３のアラーム検出部５０４からアラーム情報を発出し、マイクロスイッチ５０５を動作させ、コラムを起動回路５０６ロックにより、販売を中止する。
【背景技術】
【０００２】ＥＡＮ１２８バーコードによる賞味期限を識別する方法があるが賞味期限が切れた商品を消費者に販売しない、できない体制・方法が確立されていない。
この開発は、ＥＡＮ１２８バーコードを導入し、ＨＴを開発し、自動販売機の商品の賞味期限の管理を可能にするためＩＴ技術を駆使して識別し、商品の販売を自動制御する方法である。
【発明の開示】
【発明が解決しようとする課題】
【００３】  ＥＡＮ１２８バーコードを利用し、食品業界の標準化を行い、食品販売現場のＰＯＳ自動販売機で販売商品の賞味期限を自動識別し、ＰＯＳにおいては、レシートに販売商品の賞味期限内であるかを文字で表示するなど、販売する商品の賞味期限を守り、消費者が安心して食品を買える体制を確立し、信頼を勝ち取る。
【課題を解決するための手段】自動販売機の販売商品に貼り付けるＥＡＮ１２８バーコードのコード表示・利用形態を標準化し、自動販売機・ハンディターミナルメーカーのどの機種にも適合するフラッシュメモリーを利用したＡＰソフトを開発し、現在の自販機のコントロールＢＯＸとハンディターミナルにアップロードできるようにする。
【発明の効果】飲料水・インスタント食品の自動販売機は、病院・企業・学校・店舗などいろんな場所に設置され、多種多様な商品を提供し、一般消費者に利用されているが、取扱商品の品質保持について、業界全体の賞味期限に対する標準化などが確立されてなく、消費者に対する取り組みが不十分である。
一度、自動販売機で販売した商品が原因で食中毒などが発生した場合、自販機食品業界全体に大きな打撃を与える危険な要素を抱えており、それを緊急に解決する必要がある。この発明は、食の安全が叫ばれている現状を踏まえ、消費者の信頼を勝ち取り、自販機業界の発展とこれを契機に食品業界全体にその取り組みが波及することで、消費者の安心が購買意欲を喚起し、経済成長に大きく貢献できる。
【発明を実施するための最良の形態】食品メーカーのＥＡＮ１２８バーコード導入による食品の賞味期限表示の標準化を行ない、ハンディターミナルによる、ＥＡＮ１２８バーコードをスキャンし、データーの読み取り・登録ＡＰソフトを開示し、特定の機種に限定しない開発を行う。
メーカーと協業を組み、各種販売端末機であるＰＯＳ，自動販売機に賞味期限を識別し、販売を制御する機能を開発し、標準装備とする。
【実施例】自動販売機の前面にランプ（ＬＡＤ）表示により、この自動販売機はコンピューターで賞味期限を管理して安全な商品を提供していますと一般消費者に告知し、アピールして選択できるようにする。
【産業上の利用可能性】食品業界全体にＥＡＮ１２８バーコード技術を導入したホストサーバーと端末機であるＰＯＳ・自動販売機に対し、ＩＴ技術を駆使した賞味期限のコンピューターによる自動識別と制御を確立させたサービスの提供を拡大し、国民の健康と食の安全を追求した社会の実現に貢献することができる。
【図面の簡単な説明】自動販売機のコラム、フレーバーＮＯ、ケースＮＯに投入する商品のＥＡＮ１２８バーコードをハンディターミナルでスキャンし、自動販売機のフラッシュメモリーに投入商品の賞味期限を書き込み、コントロールＢＯＸの検証部で販売の都度、商品の賞味期限を照合・判別して、賞味期限を守るためのコンピュータ制御方法を示す。【図１】自動販売機で販売する食品の賞味期限を自動識別し、賞味期限切れ商品は販売しない、安全な商品を消費者に提供するプロセスを示すビジネスモデルである。
【図２】自動販売機の商品投入時でのハンディターミナルでのデーター登録とコラム商品が販売された都度のデーターの遷移と自販機の賞味期限の自動識別と販売制御方法を示す。コラムの販売商品に賞味期限切れが発生した場合のアラーム情報の発出による販売中止を行うシステムの制御について示す  ＬＥＤ（発光ダイオード）ランプ機能について示す。
【図３】販売システムサーバーの賞味期限を含めた商品の移動をＨＴのバーコードスキャンにより、移動データーの書込を行い、的確に管理する処理の流れとそのデーターフォーマットを示す。
【図４】ハンディターミナル（ＨＴ）にフラッシュメモリーを取付け、販売システムからのプライス・賞味保持期限のデーターの読込、自販機に商品を投入する際、個々の商品のＥＡＮ１２８のバーコーをスキャンし、コラムＮＯ、ケースＮＯおよびフレーバーＮＯ、ケースＮＯに投入する商品の賞味期限データーを設定するデーターフォーマットと書込処理のＡＰソフトについて示す。
【図５】自動販売機にフラッシュメモリーのデーター設定部１，２に、コラムＮＯ，ケースＮＯまたはフレーバーＮＯケースＮＯ投入される個々の商品の賞味期限をハンディターミナルでスキャンし、書込されるデーターフォーマットを示す。販売商品の賞味期限をコンソールＢＯＸの賞味期限検証部で検証する判定方法と賞味期限切れと判定した場合のアラーム検出部からアラーム情報を発出して、該当のコラム、フレーバーのマイクロスイッチを動作させ、販売中止を行う制御方法を示す。販売の都度、コラムのケースを商品が移動する際、データー部に設定された賞味期限データーがソートするデーター仕様とＡＰソフト開発を示す。
【符号の説明】
１００；製造工程
２００；ＥＡＮ１２８バーコード
２０１；アプリケーション識別子（１５）長期：年単位
２０２；アプリケーション識別子（１６）中期：月単位
２０３；アプリケーション識別子（１７）短期：週単位
２０４；アプリケーション識別子（１８）超短期：日単位
３００；ハンディターミナル（ＨＴ）
３０１：フラッシュメモリーのデーター設定部１，２
４００；販売システム
４０１；サーバー
５００；自動販売機
５０１；フラッシュメモリーのデーター設定部１，２
５０２；賞味期限検証部
５０３：自動販売機のコントロールＢＯＸ制御部
５０４：アラーム情報検出部
５０５：マイクロスイッチ
５０６：コラム起動回路
５０７：ＡＣＳ
５０８：ＬＥＤ（コラムのケースＮＯの商品の賞味期限切れ）を発光ダイオードで表示
【手続補正４】
【補正対象書類名】図面
【補正対象項目名】全図
【補正方法】変更
【補正の内容】
【図１】
2009043219.tif 000005
【図２】
2009043219.tif 000006
【図３】
2009043219.tif 000007
【図４】
2009043219.tif 000008
【図５】
2009043219.tif 000009